(57)【要約】      （修正有）【課題】より良い情報伝達や識別性及びより広く範囲に適用できることが実現される展示構造を提供する。【解決手段】収容ユニット１１と上記収容ユニットの一面に覆われる蓋体１２とを有する弁当箱１と、セット領域２１と収納ユニット１１の一側に位置してセット領域２１に連通される開口２２とを有する、収容ユニットに対応して蓋体の一面に嵌合される収納ユニット２と、が含有される。これにより、弁当箱の蓋体の内面に、収納ユニット２が形成され、関連展示部３（例えば、廣告やアイコン、スローガン等カード）や他の物を開口２２からセット領域２１にセットできる。【選択図】図２
0003179336.tif 000002
【実用新案登録請求の範囲】
【請求項１】
収容ユニットと、対応して収容ユニットの一面に覆われる蓋体とを有する弁当箱と、
蓋体において、収容ユニットに対応する一面に設けられ、セット領域と収納ユニットの一側に位置し、セット領域に連通する開口がある収納ユニットと、が含有されることを特徴とする展示構造。
【請求項２】
上記蓋体は、一側が収容ユニットの一側に結合され、開き式弁当箱が形成されることを特徴とする請求項１に記載の展示構造。
【請求項３】
上記蓋体は収容ユニットに直接に結合され、重ね合い式弁当箱が形成されることを特徴とする請求項１に記載の展示構造。
【請求項４】
上記弁当箱の蓋体は、紙材質やプラスチック材質からなることを特徴とする請求項１に記載の展示構造。
【請求項５】
上記弁当箱の収容ユニットは、紙材質やプラスチック材質からなることを特徴とする請求項１に記載の展示構造。
【請求項６】
上記収納ユニットは、プラスチック材質のバッグ状体で、その外側面に、蓋体が結合されることを特徴とする請求項１に記載の展示構造。
【請求項７】
上記収納ユニットは、蓋体に結合される閉鎖部と少なくとも一つの蓋体と閉鎖部との間に成形されるセット領域及び閉鎖部の一側に位置してセット領域に連通する開口が、含有されることを特徴とする請求項１に記載の展示構造。
【請求項８】
上記閉鎖部は、光透過性を有する水性プラスチックフィルムであることを特徴とする請求項７に記載の展示構造。
【請求項９】
上記閉鎖部は、隣り合う三側で蓋体に結合され、収納ユニットの一側にセット領域に連通する開口が形成されることを特徴とする請求項７に記載の展示構造。
【請求項１０】
上記閉鎖部は、隣り合う両側で蓋体に結合され、収納ユニットにセット領域に連通するL形開口が形成されることを特徴とする請求項７に記載の展示構造。
【考案の詳細な説明】
【技術分野】
【０００１】
本考案は、展示構造に関し、特に、弁当箱の蓋体の内面に収納ユニットが設けられ、関連する展示部（例えば、廣告やアイコン、スローガン等カード）や他の物を開口からセット領域に設置し、より良い情報伝達や明白な識別性及び幅広く運用できる効果が実現される。
【背景技術】
【０００２】
一般の従来の弁当箱は、箱体と、上記箱体に覆われる蓋体とから構成され、これにより、上記箱体に食物を収納して、蓋体を箱体に覆い、上記弁当箱に食物が収納されることが得られる。
【０００３】
しかしながら、一般の従来の弁当箱は、業者にとって、一般に、展示したい関連情報（例えば、廣告やアイコン及びスローガン等）が蓋体の外側面に設置され、蓋体の内面は、通常、白色で印刷されていない状態であり、ユーザーが弁当箱内の食物を食べる時、上記蓋体を開くと、蓋体の内面にある白色の印刷していない部分がユーザーに対向し、印刷された文字や図柄の一面がユーザーによって閲覧できず、そのため、蓋体の外側面に展示したい関連情報が無用になり、有効に関連メッセージを伝達できなくなる。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、弁当箱の蓋体の内面に収納ユニットが設けられ、関連展示部（例えば、廣告やアイコン及びスローガン等）や他の物を開口からセット領域に設置して、より良い情報伝達が実現され、明白の識別性が得られ、また、幅広く運用できる展示構造を提供するにある。
【課題を解決するための手段】
【０００６】
上記の目的を達成するため、本考案に係る展示構造は、収容ユニットと対応するように上記収容ユニットの一面に覆われる蓋体の弁当箱と、蓋体において、セット領域と収納ユニットの一側にあってセット領域に連通される開口とがある収容ユニットの一面に対応して設置される収納ユニットと、が含有される。
【０００７】
本考案に係る上記実施例によれば、上記蓋体の一側が収容ユニットの一側に結合されて、開き式弁当箱が形成される。
【０００８】
本考案に係る上記実施例によれば、上記蓋体が収容ユニットに直接に結合されて、重ね合い式弁当箱が形成される。
【０００９】
本考案に係る上記実施例によれば、上記弁当箱の蓋体が紙材質やプラスチック材質である。
【００１０】
本考案に係る上記実施例によれば、上記弁当箱の収容ユニットが紙材質やプラスチック材質である。
【００１１】
本考案に係る上記実施例によれば、上記収納ユニットがプラスチック材質のバッグ状体で、その外側面が、蓋体に結合される。
【００１２】
本考案に係る上記実施例によれば、上記収納ユニットは、蓋体に結合される閉鎖部と、少なくとも一つの蓋体と閉鎖部との間に形成されたセット領域と、閉鎖部の一側に位置しセット領域と連通する開口とが、含有される。
【００１３】
本考案に係る上記実施例によれば、上記閉鎖部は光透過性の水性プラスチックフィルムである。
【００１４】
本考案に係る上記実施例によれば、上記閉鎖部は隣り合う三つの側辺で、蓋体に結合され、収納ユニットの一側にセット領域に連通される開口がある。
【００１５】
本考案に係る上記実施例によれば、上記閉鎖部は、隣り合う二つの側辺で、蓋体に結合され、収納ユニットに、セット領域に連通されるL形開口が形成される。
【００１６】
本考案に係る上記実施例によれば、上記閉鎖部は、隣り合う三つの側辺と一面においての適当な箇所で蓋体に結合され、収納ユニットには、二つのセット領域と、二つのセット領域に連通される開口とが、形成される。
【００１７】
本考案に係る上記実施例によれば、上記収納ユニットのセット領域において、少なくとも、可動に展示部が設置される。
【００１８】
以下、図面を参照しながら、本考案の特徴や技術内容について、詳しく説明するが、それらの図面等は参考や説明のためであり、本考案は、それによって制限されることが無い。
【図面の簡単な説明】
【００１９】
【図１】本考案の第一実施例の外観概念図である。
【図２】本考案の第一実施例の分解状態概念図である。
【図３】本考案の第二実施例の使用状態概念図である。
【図４】本考案の第三実施例の使用状態概念図である。
【図５】本考案の第四実施例の使用状態概念図である。
【考案を実施するための形態】
【００２０】
図１と図２は、それぞれ、本考案の第一実施例の外観概念図と本考案の第一実施例の分解状態概念図である。図のように、本考案は展示構造であり、少なくとも、弁当箱と収納ユニットから構成される。
【００２１】
上記の弁当箱１は、紙材質で、収容ユニット１１と、対応して収容ユニット１１の一面に覆われる蓋体１２とからなり、上記弁当箱１の収容ユニット１１は紙材質やプラスチック材質で、上記弁当箱１の蓋体１２は、紙材質やプラスチック材質であり、上記蓋体１２の一側が収容ユニット１１の一側に結合され、これにより、開き式弁当箱が形成され（例えば、弁当箱やハンバーグボックス等の箱）、また、上記蓋体１２は収容ユニット１１に直接に結合されてもよく、これにより、重ね合い式弁当箱が形成され（例えば、上下嵌合式の弁当箱）、本考案において弁当箱を実施例とする。
【００２２】
上記収納ユニット２は、収容ユニット１１に対応する蓋体１２の一面に設置され、セット領域２１と、収納ユニット２の一側辺に位置し、セット領域２１に連通される開口２２と、が含有され、上記収納ユニット２はプラスチック材質からなるバッグ状体で、その外側面が蓋体１２に結合される。以上のように、上記の装置によれば、新しい展示構造が構成される。
【００２３】
本考案によれば、必要とする展示部３（例えば、廣告やアイコン、スローガン...等のカード）を、開口２２から収納ユニット２のセット領域２１に設置し、弁当箱１の収容ユニット１１に食物が収容され、収容した後、蓋体１２を収容ユニット１１に覆うだけでよく、ユーザーが、収容ユニット１１に位置する食物を食べる時、上記蓋体１２を開くと、セット領域２１にある展示部３を閲覧することになり、そのため、より良い情報伝達や識別性が得られる。
【００２４】
また、本考案によれば、収納ユニット２に展示部３が設置されることの他に、同時に或いは別々に、他の物を設置してもよく、例えば、プラスチックバッグやティッシュペーパー等（図に未表示）、これにより、更に、ユーザーに対して食事した後、供給でき、これにより、より幅広く利用できる効果が得られる。
【００２５】
図３は、本考案の第二実施例の使用状態概念図である。図のように、本考案によれば、上記の第一実施例に掲示された装置型態の他に、本第二実施例の装置型態でもよく、上記収納ユニット４は、隣り合う三つの側辺で、蓋体１２に結合された閉鎖部４１と、少なくとも一つの蓋体１２と閉鎖部４１と間に形成されるセット領域４２と、閉鎖部４２の一側辺に位置しセット領域４２に連通される開口４３とが含有される箇所が異なり、また、上記閉鎖部４２は光透過性の水性プラスチックフィルムである。
【００２６】
本考案によれば、上記収納ユニット４のセット領域４２に展示部３が設置され、或いは、他の物がセットされ、これにより、上記第一実施例と同じ効果の他に、更に、本考案の実用性が向上される。
【００２７】
図４は、本考案の第三実施例の使用状態概念図である。図のように、本考案によれば、上記第一と第二実施例の装置型態の他に、本第三実施例の装置型態でもよく、上記収納ユニット４aは、隣り合う二つの側辺で、蓋体１２と結合する閉鎖部４１aと、少なくとも一つの蓋体１２と閉鎖部４１aとの間に形成されるセット領域４２aと、閉鎖部４１aの一側辺に位置しセット領域４２aに連通されるL形開口４３aとが含有される箇所が異なる。
【００２８】
本考案によれば、上記収納ユニット４aのセット領域４２aにおいて、展示部３が設置されるか、他の物がセットされることにより、上記第一実施例と同じ効果が得られて、より実用的なものになる。
【００２９】
図５は、本考案の第四実施例の使用状態概念図である。図のように、本考案は、上記の第一と第二及び第三実施例の装置型態の他に、本第四実施例の装置型態でもよく、上記収納ユニット４bは、隣り合う三つの側辺と一面の適当な部位で、蓋体１２に結合される閉鎖部４１bと、二つの蓋体１２と閉鎖部４１bとの間に形成されたセット領域４２bと、それぞれ閉鎖部４１bの一側辺に位置して各セット領域４２bに連通される二つの開口４３bとが含有される箇所が異なる。
【００３０】
本考案によれば、上記収納ユニット４bの二つのセット領域４２bに、同時に（或いは、別々に）展示部３が設置されるか、他の物がセットされることにより、上記第一実施例と同じ効果が得られるだけでなく、実用性がより向上される。
【００３１】
以上のように、本考案に係る展示構造は、有効に従来の諸欠点を解消でき、弁当箱の蓋体の内面に収納ユニットが設けられ、関連展示部（例えば、廣告やアイコン、スローガン等のカード）や他の物を、開口からセット領域に設置でき、より良い情報伝達や識別性及び適用範囲性が得られ、そのため、本考案は、より進歩的かつより実用的で、法に従って実用新案登録請求を出願する。
【００３２】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００３３】
１    弁当箱
１１  収容ユニット
１２  蓋体
２、４、４a、４b          収納ユニット
２１、４２、４２a、４２b  セット領域
２２、４３、４３a、４３b  開口
３    展示部
４１、４１a、４１b        閉鎖部
【図１】
0003179336.tif 000003
【図２】
0003179336.tif 000004
【図３】
0003179336.tif 000005
【図４】
0003179336.tif 000006
【図５】
0003179336.tif 000007